(57)【特許請求の範囲】
【請求項１】
データ圧縮率の小さい音声符号化による中継回線を介して相互に接続されるとともに、有線電話機又は無線電話機が接続される複数の交換装置を備え、前記中継回線の回線品質に応じて前記データ圧縮率の異なる複数の音声符号化方式を自動選択する中継回線における音声符号化選択システムであって、
前記複数の交換装置は、
前記中継回線のインターフェース機能及び前記音声符号化方式の自動選択機能とを有した複数の中継回線部と、
前記有線電話機の端末収容インターフェース機能を有する複数の加入者回線部と、
前記有線電話機から前記加入者回線部に入力されるデータや、前記中継回線部から入力されるデータに対し、指定のチャネルへの入替えを行うスイッチ部と、
前記中継回線部の中継動作、前記スイッチ部のチャネル制御、前記加入者回線部の回線制御を行う中央制御部と
を備え、
前記中央制御部の制御により、前記中継回線の回線品質の検出が行われるとともに、前記回線品質に応じて前記複数の音声符号化方式の自動選択が行われ、
前記複数の中継回線部は、
前記複数の交換装置の内部で扱う信号を、前記中継回線の電気的インターフェースに準じた信号に変換する中継回線インターフェース部と、
前記中継回線のフレーム・フォーマットに準じた信号形式に回線制御信号及び通話信号を組立／分解するフレーム組立・分解部と、
前記中継回線の回線品質についての確認機能を有する回線品質検出部と、
前記中継回線のデータ圧縮率より大きい音声符号化を行う第１の音声符号化部と、
前記第１の音声符号化部によるデータ圧縮率より大きい音声符号化を行う第２の音声符号化部と、
前記回線品質検出部による前記回線品質の検出結果に応じて前記中継回線のデータ圧縮率の小さい音声符号化、前記第１又は第２の音声符号化部による音声符号化の何れかを選択する音声符号化選択部と、
前記回線品質検出部に対する前記回線品質の検出や前記音声符号化選択部に対する選択指示を行う回線制御部と
を備え、
前記回線制御部は、前記回線品質検出部に対し、前記回線品質を検出するために予め決められたデータフォーマットをもつ回線品質検出データの送出指示を与えるとともに、対向する側の前記中継回線部に対し、前記回線品質の試験の開始と使用チャネル情報とを制御チャネルによって通知し、
前記回線品質検出部は、回線品質検出データを前記対向する側の前記中継回線部に送信すると、
前記対向する側の前記回線品質検出部は、前記回線品質検出データと期待受信値とを比較してデータ誤りの確認を行い、第２の回線品質情報として保持するとともに、前記第２の回線品質情報を送信側の前記回線制御部に通知し、
一方、前記対向する側の前記回線品質検出部が前記回線品質検出データを送信側の前記中継回線部に送信すると、送信側の前記回線品質検出部は、前記回線品質検出データと期待受信値とを比較してデータ誤りの確認を行い、第１の回線品質情報として保持するとともに、前記第１の回線品質情報を対向する側の前記回線制御部に通知すると、
前記送信側及び対向する側の各回線制御部は、前記第１及び第２の回線品質情報を比較し、回線品質が低い方を優先させ、前記音声符号化選択部に対する選択を制御する
ことを特徴とする中継回線における音声符号化選択システム。
【請求項２】
前記送信側及び対向する側の前記回線品質検出部がそれぞれ相手からの前記回線品質検出データを折返すと、前記各回線品質検出部は前記折返された前記回線品質検出データと期待受信値とを比較して得られる前記第１又は第２の回線品質情報を保持するとともに、前記第１又は第２の回線品質情報を互いに相手側へ送信することを特徴とする請求項１に記載の中継回線における音声符号化選択システム。
【請求項３】
データ圧縮率の小さい音声符号化による中継回線を介して相互に接続されるとともに、有線電話機又は無線電話機が接続される複数の交換装置を備え、前記中継回線の回線品質に応じて前記データ圧縮率の異なる複数の音声符号化方式を自動選択する中継回線における音声符号化選択方法であって、
中継回線部により、前記中継回線のインターフェース及び前記音声符号化方式の自動選択を実行する第１の工程と、
複数の加入者回線部により、前記有線電話機の端末収容インターフェースをとる第２の工程と、
スイッチ部により、前記有線電話機から前記加入者回線部に入力されるデータや、前記中継回線部から入力されるデータに対し、指定のチャネルへの入替えを行う第３の工程と、
中央制御部により、前記中継回線の回線品質の検出制御や、前記回線品質に応じた前記複数の音声符号化方式の自動選択を行う第４の工程とを備え、
前記第１の工程には、
前記複数の交換装置の内部で扱う信号を、前記中継回線の電気的インターフェースに準じた信号に変換する第５の工程と、
前記中継回線のフレーム・フォーマットに準じた信号形式に回線制御信号及び通話信号を組立／分解する第６の工程と、
前記中継回線の回線品質についての確認を行う第７の工程と、
前記中継回線のデータ圧縮率より大きい音声符号化を行う第８の工程と、
前記第８の工程でのデータ圧縮率より大きい音声符号化を行う第９の工程と、
前記回線品質の検出結果に応じて前記中継回線のデータ圧縮率の小さい音声符号化、前記第８又は第９の工程での音声符号化の何れかを選択する第１０の工程と、
前記回線品質の検出や前記音声符号化の選択指示を行う第１１の工程と
が含まれ、
前記第１１の工程には、
前記回線品質を検出するために予め決められたデータフォーマットをもつ回線品質検出データの送出指示を与える第１２の工程と、
対向する側に対し、前記回線品質の試験の開始と使用チャネル情報とを制御チャネルによって通知する第１３の工程と
が含まれ、
前記第７の工程には、
前記回線品質検出データを前記対向する側に送信する第１４の工程と、
前記対向する側にて前記回線品質検出データと期待受信値とを比較してデータ誤りの確認を行い、第２の回線品質情報として保持するとともに、前記第２の回線品質情報を送信側に通知する第１５の工程と、
前記対向する側にて前記回線品質検出データを送信側に送信する第１６の工程と、
前記送信側にて前記回線品質検出データと期待受信値とを比較してデータ誤りの確認を行い、第１の回線品質情報として保持するとともに、前記第１の回線品質情報を対向する側に通知する第１７の工程と
が含まれ、
前記１１の工程には、前記第１及び第２の回線品質情報を比較し、回線品質が低い方を優先させた前記選択指示を行う第１８の工程が含まれる
ことを特徴とする音声符号化選択方法。
【請求項４】
前記第１４〜１７の工程には、
前記送信側及び対向する側にてそれぞれ相手からの前記回線品質検出データを折返す第１９の工程と、
前記折返された前記回線品質検出データと期待受信値とを比較して得られる前記第１又は第２の回線品質情報を保持するとともに、前記第１又は第２の回線品質情報を互いに相手側へ送信する第２０の工程と
が含まれることを特徴とする請求項３に記載の音声符号化選択方法。
【発明の詳細な説明】
【０００１】
【発明の属する技術分野】
本発明は、中継回線における音声品質の確保に適した中継回線における音声符号化選択システム及び音声符号化選択方法に関する。
【０００２】
【従来の技術】
自動車電話機や携帯電話機等のように、無線を伝送路とするシステムでは、天候や周囲環境等の要因又はＩＰネットワーク上でのトラヒックの状況により、回線品質が著しく変動することが予想される。
【０００３】
このように、回線品質が著しく変動する場合であっても、一定品質以上の音声品質を得るため、強力な誤り訂正符号が行われている。
【０００４】
【発明が解決しようとする課題】
ところが、上述した従来の無線を伝送路とするシステムでは、回線品質の良否に拘らず、たとえばＰＣＭ等の同一の音声符号化方式によって音声通信を行っているため、回線品質が劣化すると著しく音声通信の品質が低下してしまうという問題があった。
【０００５】
本発明は、このような状況に鑑みてなされたものであり、回線品質の状況に応じ音声符号化を自動選択することで、回線の有効利用を図ることができる中継回線における音声符号化選択システム及び音声符号化選択方法を提供することができるようにするものである。
【０００６】
【課題を解決するための手段】
請求項１に記載の中継回線における音声符号化選択システムは、データ圧縮率の小さい音声符号化による中継回線を介して相互に接続されるとともに、有線電話機又は無線電話機が接続される複数の交換装置を備え、中継回線の回線品質に応じてデータ圧縮率の異なる複数の音声符号化方式を自動選択する中継回線における音声符号化選択システムであって、複数の交換装置は、中継回線のインターフェース機能及び音声符号化方式の自動選択機能とを有した複数の中継回線部と、有線電話機の端末収容インターフェース機能を有する複数の加入者回線部と、有線電話機から加入者回線部に入力されるデータや、中継回線部から入力されるデータに対し、指定のチャネルへの入替えを行うスイッチ部と、中継回線部の中継動作、スイッチ部のチャネル制御、加入者回線部の回線制御を行う中央制御部とを備え、中央制御部の制御により、中継回線の回線品質の検出が行われるとともに、回線品質に応じて複数の音声符号化方式の自動選択が行われ、複数の中継回線部は、複数の交換装置の内部で扱う信号を、中継回線の電気的インターフェースに準じた信号に変換する中継回線インターフェース部と、中継回線のフレーム・フォーマットに準じた信号形式に回線制御信号及び通話信号を組立／分解するフレーム組立・分解部と、中継回線の回線品質についての確認機能を有する回線品質検出部と、中継回線のデータ圧縮率より大きい音声符号化を行う第１の音声符号化部と、第１の音声符号化部によるデータ圧縮率より大きい音声符号化を行う第２の音声符号化部と、回線品質検出部による回線品質の検出結果に応じて中継回線のデータ圧縮率の小さい音声符号化、第１又は第２の音声符号化部による音声符号化の何れかを選択する音声符号化選択部と、回線品質検出部に対する回線品質の検出や音声符号化選択部に対する選択指示を行う回線制御部とを備え、回線制御部は、回線品質検出部に対し、回線品質を検出するために予め決められたデータフォーマットをもつ回線品質検出データの送出指示を与えるとともに、対向する側の中継回線部に対し、回線品質の試験の開始と使用チャネル情報とを制御チャネルによって通知し、回線品質検出部は、回線品質検出データを対向する側の中継回線部に送信すると、対向する側の回線品質検出部は、回線品質検出データと期待受信値とを比較してデータ誤りの確認を行い、第２の回線品質情報として保持するとともに、第２の回線品質情報を送信側の回線制御部に通知し、一方、対向する側の回線品質検出部が回線品質検出データを送信側の中継回線部に送信すると、送信側の回線品質検出部は、回線品質検出データと期待受信値とを比較してデータ誤りの確認を行い、第１の回線品質情報として保持するとともに、第１の回線品質情報を対向する側の回線制御部に通知すると、送信側及び対向する側の各回線制御部は、第１及び第２の回線品質情報を比較し、回線品質が低い方を優先させ、音声符号化選択部に対する選択を制御することを特徴とする。
また、送信側及び対向する側の回線品質検出部がそれぞれ相手からの回線品質検出データを折返すと、各回線品質検出部は折返された回線品質検出データと期待受信値とを比較して得られる第１又は第２の回線品質情報を保持するとともに、第１又は第２の回線品質情報を互いに相手側へ送信するようにすることができる。
請求項３に記載の中継回線における音声符号化選択方法は、データ圧縮率の小さい音声符号化による中継回線を介して相互に接続されるとともに、有線電話機又は無線電話機が接続される複数の交換装置を備え、中継回線の回線品質に応じてデータ圧縮率の異なる複数の音声符号化方式を自動選択する中継回線における音声符号化選択方法であって、中継回線部により、中継回線のインターフェース及び音声符号化方式の自動選択を実行する第１の工程と、複数の加入者回線部により、有線電話機の端末収容インターフェースをとる第２の工程と、スイッチ部により、有線電話機から加入者回線部に入力されるデータや、中継回線部から入力されるデータに対し、指定のチャネルへの入替えを行う第３の工程と、中央制御部により、中継回線の回線品質の検出制御や、回線品質に応じた複数の音声符号化方式の自動選択を行う第４の工程とを備え、第１の工程には、複数の交換装置の内部で扱う信号を、中継回線の電気的インターフェースに準じた信号に変換する第５の工程と、中継回線のフレーム・フォーマットに準じた信号形式に回線制御信号及び通話信号を組立／分解する第６の工程と、中継回線の回線品質についての確認を行う第７の工程と、中継回線のデータ圧縮率より大きい音声符号化を行う第８の工程と、第８の工程でのデータ圧縮率より大きい音声符号化を行う第９の工程と、回線品質の検出結果に応じて中継回線のデータ圧縮率の小さい音声符号化、第８又は第９の工程での音声符号化の何れかを選択する第１０の工程と、回線品質の検出や音声符号化の選択指示を行う第１１の工程とが含まれ、第１１の工程には、回線品質を検出するために予め決められたデータフォーマットをもつ回線品質検出データの送出指示を与える第１２の工程と、対向する側に対し、回線品質の試験の開始と使用チャネル情報とを制御チャネルによって通知する第１３の工程とが含まれ、第７の工程には、回線品質検出データを対向する側に送信する第１４の工程と、対向する側にて回線品質検出データと期待受信値とを比較してデータ誤りの確認を行い、第２の回線品質情報として保持するとともに、第２の回線品質情報を送信側に通知する第１５の工程と、対向する側にて回線品質検出データを送信側に送信する第１６の工程と、送信側にて回線品質検出データと期待受信値とを比較してデータ誤りの確認を行い、第１の回線品質情報として保持するとともに、第１の回線品質情報を対向する側に通知する第１７の工程とが含まれ、１１の工程には、第１及び第２の回線品質情報を比較し、回線品質が低い方を優先させた選択指示を行う第１８の工程が含まれることを特徴とする。
また、第１４〜１７の工程には、送信側及び対向する側にてそれぞれ相手からの回線品質検出データを折返す第１９の工程と、折返された回線品質検出データと期待受信値とを比較して得られる第１又は第２の回線品質情報を保持するとともに、第１又は第２の回線品質情報を互いに相手側へ送信する第２０の工程とが含まれるようにすることができる。
本発明に係る中継回線における音声符号化選択システム及び音声符号化選択方法においては、各交換装置にて中継回線の回線品質を検出するとともに、互いに中継回線の回線品質に応じてデータ圧縮率の異なる複数の音声符号化方式の何れかを選択することで、たとえば回線品質が低下したとき、利用者が聞き取る音声品質の極端な低下を避け、回線品質が良好である場合においては圧縮率の高い音声符号化方式による通信を行わせるようにする。
【０００７】
【発明の実施の形態】
以下、本発明の実施の形態について説明する。
【０００８】
図１は、本発明の中継回線における音声符号化選択システムの一実施の形態を示すブロック図、図２及び図３は、図１の中継回線部の詳細を示すブロック図である。
【０００９】
図１に示す中継回線における音声符号化選択システムは、複数の交換装置Ａ０００，Ｂ１００，Ｃ２００，Ｄ３００を備えている。これらの交換装置Ａ０００，Ｂ１００，Ｃ２００，Ｄ３００は、中継回線であるＩＰネットワークＮを介して相互に接続されている。ここで、中継回線には、後述する無線搬送装置Ｅとの間の無線区間も含まれる。
【００１０】
各交換装置Ａ０００，Ｂ１００，Ｃ２００，Ｄ３００は、中継回線部０１０〜０１０−ｎ，１１０〜１１０−ｎ、中央制御部０２０，１２０、スイッチ部０３０，１３０、加入者回線部０４０〜０４０ｎ，１４０〜１４０ｎを備えている。
【００１１】
各中継回線部０１０〜０１０−ｎ，１１０〜１１０−ｎは、各交換装置Ａ０００，Ｂ１００，Ｃ２００，Ｄ３００間を結ぶ中継回線のインターフェース機能と、音声圧縮選択機能とを有している。また、各中継回線部０１０〜０１０−ｎ，１１０〜１１０−ｎは、無線搬送装置Ｅの中継も可能となっている。
【００１２】
各中央制御部０２０，１２０は、制御の中枢をなすものであって、各中継回線部０１０〜０１０−ｎ，１１０〜１１０−ｎの中継動作の制御、各スイッチ部０３０，１３０のチャネル制御、各加入者回線部０４０〜０４０ｎ，１４０〜１４０ｎの制御等を行う。
【００１３】
各スイッチ部０３０，１３０は、有線電話機である電話機Ａ〜Ａ−ｎ，Ｂ〜Ｂ−ｎ，Ｃ〜Ｃ−ｎ，Ｄ〜Ｄ−ｎから加入者回線部０４０〜０４０ｎ，１４０〜１４０ｎに入力されたデータや、中継回線部０１０〜０１０−ｎ，１１０〜１１０−ｎから入力されたデータに対し、指定のチャネルへの入替えを行う。この場合、中央制御部０２０，１２０が加入者から要求のあった電話機Ａ〜Ａ−ｎ，Ｂ〜Ｂ−ｎ，Ｃ〜Ｃ−ｎに接続させるよう各スイッチ部０３０，１３０を制御する。
【００１４】
加入者回線部０４０〜０４０ｎ，１４０〜１４０ｎは、電話機Ａ〜Ａ−ｎ，Ｂ〜Ｂ−ｎ，Ｃ〜Ｃ−ｎ等の端末収容インターフェース機能を有する。
【００１５】
各中継回線部０１０〜０１０−ｎは、図２に示すように、中継回線インターフェース部０１１、フレーム組立・分解部０１２、回線制御部０１３、回線品質検出部０１４、音声符号化選択部０１５、音声符号化部０１６，０１７を備えている。
【００１６】
また、各中継回線部１１０〜１１０−ｎは、図３に示すように、中継回線インターフェース部１１１、フレーム組立・分解部１１２、回線制御部１１３、回線品質検出部１１４、音声符号化選択部１１５、音声符号化部１１６，１１７を備えている。
【００１７】
中継回線インターフェース部０１１，１１１は、交換装置Ａ０００，Ｂ１００，Ｃ２００，Ｄ３００の内部で扱う信号を、中継回線の電気的インターフェースに準じた信号に変換する。
【００１８】
フレーム組立・分解部０１２，１１２は、回線制御信号及び通話信号を中継回線のフレーム・フォーマットに準じた信号形式に組立／分解する機能を有する。回線制御部０１３，１１３は、中継回線部０１０〜０１０−ｎ，１１０〜１１０−ｎ内部の制御機能を有している。また、回線制御部０１３，１１３は、たとえば交換装置Ａ０００〜交換装置Ｂ１００間の通信に関する回線制御情報についての相手局との情報の受渡しや、音声符号化選択部０１５，１１５及び回線品質検出部０１４，１１４の制御を行う。
【００１９】
回線品質検出部０１４，１１４は、中継回線の回線品質についての確認機能を有している。また、回線品質検出部０１４，１１４は、任意のデータフォーマットのデータを相手局との間でやり取りし、期待値との比較によりデータの紛失やデータのビット抜けを監視するとともに、その情報を回線品質情報ａ，ｂとして保持する。この回線品質情報ａ，ｂの詳細については後述する。
【００２０】
音声符号化選択部０１５，１１５は、回線制御部０１３，１１３の制御により、ＰＣＭ、音声符号化部０１６，１１６又は音声符号化部０１７，１１７の何れかを選択する機能を有する。
【００２１】
音声符号化部０１６，１１６，０１７，１１７は、電話機Ａ〜Ａ−ｎ，Ｂ〜Ｂ−ｎ，Ｃ〜Ｃ−ｎ等から入力される音声符号化された音声データを、他の音声符号化方式の信号に変換するための機能部である。そして、送信時は符号化し、受信時には電話機Ａ〜Ａ−ｎ，Ｂ〜Ｂ−ｎ，Ｃ〜Ｃ−ｎに使用されている符号化方式に復号化する。ここで、音声符号化部０１６，１１６は、第１の音声符号化部であり、音声符号化部０１７，１１７は、第２の音声符号化部である。
【００２２】
なお、本実施の形態では、音声符号化部０１６，１１６がたとえばＣＳ−ＡＣＥＬＰ（Ｇ．７２９）方式へ、音声符号化部０１７，１１７がたとえばＡＣＥＬＰ／ＭＰ−ＭＬＱ（Ｇ．７２３．１）方式へと変換が可能となっている。
【００２３】
ここで、上述した各音声符号化方式の簡単な仕様は、次の通りである。
0003552619.tif 000002
【００２４】
ここで、データ圧縮率の大きさは、Ｇ．７１１＜Ｇ．７２９＜Ｇ．７２３．１となっている。
【００２５】
また、ＰＣＭのようにアナログ入力信号を８ＫＨｚでサンプリングし、各サンプル毎に独立して８ビットで符号化されているような方式では、１ビットのデータエラーが発生すると、１２５μｓのノイズ発生の可能性がある。これは８ビット単位に独立して構成されるデータの波形復号化が正常に行われないためである。
【００２６】
一方、ＣＳ−ＡＣＥＬＰ（Ｇ．７２９）やＡＣＥＬＰ／ＭＰ−ＭＬＱ（Ｇ７２３．１）のようにフレーム長単位で処理されるような符号化方式の場合、復号化の際にはフレーム単位での処理となるため、１ビットのデータエラーが発生すると、１フレーム分のデータについて復号化を誤る可能性があり、結果的に１フレーム分の単位時間にノイズが発生する可能性がある。
【００２７】
このように、中継回線の回線品質が劣化し、一定時間中にある確率でビットエラーが発生した場合のノイズが音声に混入する割合は、ＡＣＥＬＰ／ＭＰ−ＭＬＱよりもＣＳ−ＡＣＥＬＰの方が１／３、ＡＣＥＬＰ／ＭＰ−ＭＬＱよりもＰＣＭは１／２４０となる。
【００２８】
次に、このような構成の中継回線における音声符号化選択システムの動作について説明する。
【００２９】
まず、交換装置Ａ０００と交換装置Ｂ１００とが中継回線を介して通信しているときの回線品質が悪い（ビットエラーレートが悪い）場合を想定する。
【００３０】
たとえば無線搬送装置Ｅが挿入された構成を考えた場合、天候、周囲環境等によって中継回線の回線品質の著しい変化が予想される。さらに、ＩＰネットワークＮにおいては、ネットワーク上のトラヒック状況により、セル廃棄が発生して回線品質が変化することも予想される。
【００３１】
このような場合、中央制御部０２０から中継回線部０１０の回線制御部０１３に対して回線品質の検出確認の指示が与えられる。なお、中央制御部０２０からの指示は、対象とする回線あるいは対象の中継回線部０１０〜０１０−ｎが立上がったときや、予め決められた時間に行われるものとする。
【００３２】
そして、回線制御部０１３は、回線品質検出部０１４に対し回線品質を検出するために予め決められたデータフォーマットをもつ回線品質検出データの送出指示を与えるとともに、回線品質の検出に使用するチャネル設定の指示をも行う。
【００３３】
また、回線制御部０１３は、対向する中継回線部１１０の回線制御部１１３に対し、回線品質試験の開始と使用チャネル情報とを制御チャネルによって通知する。
【００３４】
回線品質検出部０１４は、回線品質検出データをフレーム組立・分解部０１２に送る。フレーム組立・分解部０１２は、規定の中継回線フレームフォーマットの指定チャネルに回線品質検出データを組込み、中継回線インターフェース部０１１を介して送信する。
【００３５】
交換装置Ａ０００から送信された回線品質検出データは、交換装置Ｂ１００の中継回線部１１０の中継回線インターフェース部１１１、フレーム組立・分解部１１２を介し回線品質検出部１１４により受信される。
【００３６】
回線品質検出部１１４では、予め想定している期待受信値と受信データとを比較してデータ誤りの確認を行い、誤っているデータのビット数を一定時間蓄積し単位時間当りのエラーレートを計算する。
【００３７】
エラーレートの計算結果は、回線品質検出部１１４により予め規定されたしきい値毎に複数の段階に分類され、第２の回線品質情報としての回線品質情報ｂとして保持される。ここまでの動作により、交換装置Ａ０００から交換装置Ｂ１００に対する方向の回線品質についての交換装置Ｂ１００による確認動作が完了する。
【００３８】
ここで、回線品質情報ｂは、たとえば３段階の分類とし、エラーレートの低い順（エラーになる確率の低い順）から▲１▼，▲２▼，▲３▼（▲１▼が最も回線品質が良い）とする。また、回線品質情報ｂは、回線品質検出部１１４に保持されると同時に、回線制御部１１３によって確認される。回線制御部１１３は、回線品質情報ｂを確認すると、対向する中継回線部０１０の回線制御部０１３に対し、制御チャネルを介してその回線品質情報ｂを通知する。
【００３９】
一方、上記と同様にして、交換装置Ｂ１００から交換装置Ａ０００に回線品質検出データが送信される。その回線品質検出データは、交換装置Ａ０００の中継回線部０１０の中継回線インターフェース部０１１、フレーム組立・分解部０１２を介し回線品質検出部０１４により受信される。
【００４０】
回線品質検出部０１４では、回線品質検出部１１４と同様に、エラーレートを計算する。エラーレートの計算結果は、回線品質検出部０１４により予め規定されたしきい値毎に複数の段階に分類され、第１の回線品質情報としての回線品質情報ａとして保持される。
【００４１】
ここまでの動作により、交換装置Ｂ１００から交換装置Ａ０００に対する方向の回線品質についての交換装置Ａ０００による確認動作が完了する。
【００４２】
ここで、回線品質情報ａは、上述したように、たとえば３段階の分類とし、エラーレートの低い順（エラーになる確率の低い順）から▲１▼，▲２▼，▲３▼（▲１▼が最も回線品質が良い）とする。また、回線品質情報ａは、回線品質検出部０１４に保持されると同時に、回線制御部０１３によって確認される。回線制御部０１３は、回線品質情報ａを確認すると、対向の中継回線部１１０の回線制御部１１３に対し、制御チャネルを介してその回線品質情報ａを通知する。
【００４３】
これにより、交換装置Ａ０００と交換装置Ｂ１００との間での回線品質検出データ及び回線品質情報ａ，ｂのやり取りが完了する。次いで、交換装置Ａ０００の中継回線部０１０の回線制御部０１３は、対局から通知された回線品質情報ｂと自局で検出し回線品質検出部０１４に保持されている回線品質情報ａとを比較する。
【００４４】
回線制御部０１３は、これら回線品質情報ａ，ｂに差分があった場合、回線品質情報ａ，ｂの低い（回線品質が悪い）方を優先した判定を行う。また、回線品質情報ａ，ｂが同一である場合は、その回線品質情報ａ，ｂに応じて音声符号化選択部０１５を制御する。
【００４５】
すなわち、交換装置Ｂ１００から交換装置Ａ０００への回線品質情報ｂが▲２▼であり、交換装置Ａ０００から交換装置Ｂ１００への回線品質情報ａが▲１▼である場合、低い▲２▼を比較結果として音声符号化選択部０１５を制御し、音声符号化部０１６を選択させる。
【００４６】
仮に、双方向の回線品質が最良であり“▲１▼”と判定されているとき、中継回線部０１０の回線制御部０１３は、音声符号化選択部０１５を制御することにより、音声符号化部０１７を選択させる。また、回線品質の劣化が激しく回線品質情報ａ，ｂが“▲３▼”となった場合、回線制御部０１３，１１３は、音声符号化選択部０１５，１１５を音声符号化の変更のないＰＣＭを選択するように制御する。
【００４７】
ここで、回線状態が良いときに、音声符号化部０１７を選択する理由は、フレーム構成をもち圧縮率を高めるためにビットエラーが発生すると、人の耳に聞き取れる程度のノイズとなる可能性が高いデータではあるが、誤りが非常に少ないために、より多くの情報の送信が可能となるためである。
【００４８】
回線品質が悪いときに、音声符号化の変更のないＰＣＭを選択する理由は、ビットエラーの発生頻度が高い場合、フレーム構成をもたないＰＣＭ信号を送信した方がデータに誤りが発生しても人の耳に聞こえるノイズは極めて短時間となる可能性があるためである。
【００４９】
なお、以上のような音声符号化選択部０１５によるＰＣＭ、音声符号化部０１６又は音声符号化部０１７の何れかの選択は、交換装置Ｂ１００側でも同様にして行われる。すなわち、交換装置Ｂ１００側の中継回線部１１０の音声符号化選択部１１５によるＰＣＭ、音声符号化部１１６又は音声符号化部１１７の何れかの選択が行われる。
【００５０】
そして、音声符号化選択部０１５，１１５による選択が完了すると、回線制御部０１３，１１３は相手装置に対し、互いに音声符号化選択完了を制御チャネルによって通知する。
【００５１】
回線制御部０１３，１１３は、音声符号化選択完了の通知を確認後、中央制御部０２０，１２０へその完了を通知する。
【００５２】
ここで、中継回線部０１０と中継回線部１１０との間の中継回線接続で音声符号化部０１７，１１７（Ｇ．７２３．１）が選択された状態で、電話機Ａから電話機Ｂへの呼が発生したとする。この場合、電話機Ａからの音声データは、加入者回線部０４０を通り、スイッチ部０３０によりチャネル入替えされた後、中継回線部０１０に送信される。
【００５３】
中継回線部０１０では、音声符号化部０１７によってＰＣＭの音声データをＡＣＥＬＰ／ＭＰ−ＭＬＱ方式（Ｇ７２３．１）による音声符号化方式に変換する。その変換された音声データ（Ｇ７２３．１）は、音声符号化選択部０１５を通り、フレーム組立・分解部０１２、中継回線インターフェース部０１１を介して交換装置Ｂ１００へ送信される。
【００５４】
交換装置Ｂ１００ではその音声データ（Ｇ７２３．１）を中継回線部１１０で受信すると、音声符号化部１１７がその音声データ（Ｇ７２３．１）をＰＣＭの音声データに変換する。そして、変換された音声データは、スイッチ部１３０によりチャネル入替えされた後、加入者回線部１４０を介して電話機Ｂへ伝えられる。
【００５５】
このように、本実施の形態では、各交換装置Ａ０００，Ｂ１００，Ｃ２００，Ｄ３００にて中継回線の回線品質を検出するとともに、互いに中継回線の回線品質に応じてデータ圧縮率の異なる複数の音声符号化方式の何れかを選択し、たとえば回線品質が低下したとき、利用者が聞き取る音声品質の極端な低下を避け、回線品質が良好である場合においては圧縮率の高い音声符号化方式による通信を行わせるようにしたので、回線品質の状況に応じ音声符号化を自動選択することができ、回線の有効利用を図ることができる。
【００５６】
なお、本実施の形態では、交換装置Ａ０００側の回線品質検出部０１４から送信された回線品質検出データを、交換装置Ｂ１００側の回線品質検出部１１４が検出し、交換装置Ｂ１００側の回線品質検出部１１４から送信された回線品質検出データを、交換装置Ａ０００側の回線品質検出部０１４が検出するようにした場合について説明した。
【００５７】
この例に限らず、交換装置Ａ０００側の回線品質検出部０１４から送信された回線品質検出データを、交換装置Ｂ１００側の回線品質検出部１１４が交換装置Ａ０００側に折返し、回線品質検出部０１４がその回線品質検出データを検出するとともに、交換装置Ｂ１００側の回線品質検出部１１４から送信された回線品質検出データを、交換装置Ａ０００側の回線品質検出部０１４が交換装置Ｂ１００側に折返し、回線品質検出部１１４がその回線品質検出データを検出するようにすることもできる。
【００５８】
【発明の効果】
以上の如く本発明に係る中継回線における音声符号化選択システム及び音声符号化選択方法によれば、各交換装置にて中継回線の回線品質を検出するとともに、互いに中継回線の回線品質に応じてデータ圧縮率の異なる複数の音声符号化方式の何れかを選択し、たとえば回線品質が低下したとき、利用者が聞き取る音声品質の極端な低下を避け、回線品質が良好である場合においては圧縮率の高い音声符号化方式による通信を行わせるようにしたので、回線品質の状況に応じ音声符号化を自動選択することができ、回線の有効利用を図ることができる。
【図面の簡単な説明】
【図１】本発明の中継回線における音声符号化選択システムの一実施の形態を示すブロック図である。
【図２】図１の中継回線部の詳細を示すブロック図である。
【図３】図１の中継回線部の詳細を示すブロック図である。
【符号の説明】
Ａ〜Ａｎ，Ｂ〜Ｂｎ，Ｃ〜Ｃｎ，Ｄ〜Ｄｎ  電話機
Ａ０００，Ｂ１００，Ｃ２００，Ｄ３００  交換装置
０１０〜０１０−ｎ，１１０〜１１０−ｎ  中継回線部
０１１，１１１  中継回線インターフェース部
０１２，１１２  フレーム組立・分解部
０１３，１１３  回線制御部
０１４，１１４  回線品質検出部
０１５，１１５  音声符号化選択部
０１６，０１７，１１６，１１７  音声符号化部
０２０，１２０  中央制御部
０３０，１３０  スイッチ部
０４０〜０４０ｎ，１４０〜１４０ｎ  加入者回線部
Ｅ  無線搬送装置
Ｎ  ＩＰネットワーク
【図１】
0003552619.tif 000003
【図２】
0003552619.tif 000004
【図３】
0003552619.tif 000005